(57)【要約】【課題】本発明は給湯機の水量検知装置の外郭に関するもので、水量に応じて発する微弱な磁気信号を外郭外側から検出する為、水道圧直圧に耐え得る強度を確保しながら外郭構造の薄肉厚化を図り、小型軽量化、省加工性による低製造コストを得ることを目的とする。【解決手段】給湯機の通水路において、水量に応じて回転しその周囲の磁気を変化させる回転体２と、回転体２の回転数に応じた磁気変化を検出する磁気検知装置４と、回転体２を保持する回転体保持部３と、通水路を形成し前記回転体２及び回転体保持部３を通水路中に配置する為の外郭６に既製の銅溶接管または銅合金溶接管を用いたものである。【選択図】  図１
2005010079.tif 000002
【特許請求の範囲】
【請求項１】
給湯機の通水路において、水量に応じて回転しその周囲の磁気を変化させる回転体と、回転体の回転数に応じた磁気変化を検出する磁気検知装置と、回転体を保持する回転体保持部と、通水路を形成し前記回転体及び回転体保持部を通水路中に配置する為の外郭に既製の銅溶接管または銅合金溶接管を用いた水量検知装置。
【請求項２】
銅溶接管または銅合金溶接管の断面形状を正方形の角管に加工し、その平面部を磁気検出装置の取付部とした請求項１記載の水量検知装置。
【請求項３】
銅溶接管または銅合金溶接管の断面形状を六角形の管に加工し、その平面部を磁気検出装置の取付部とした請求項１記載の水量検知装置。
【請求項４】
銅溶接管または銅合金溶接管断面の円管形状の一部分を平面を成すＤ字型断面に加工し、その平面部を磁気検出装置の取付部とした請求項１記載の水量検知装置。
【請求項５】
銅溶接管または銅合金溶接管を用いた水量検知装置外郭の代わりに熱交換器の通水路を形成する銅溶接管を外郭として用いた請求項１記載の水量検知装置。
【発明の詳細な説明】
【０００１】
【発明の属する技術分野】
本発明は、給湯機に組み込まれた、磁気を応用して水流を検知する水量検知装置において水道圧の直圧がかかる水量検知装置に関するものである。
【０００２】
【従来の技術】
従来この種の水量検知装置外郭は、水道圧直圧に耐え得る材料として主に黄銅にて鋳造または鍛造された後、必要な寸法形状を得るため切削加工して作られていた（例えば、特許文献１参照）。
【０００３】
特に、微弱な磁気を検出する必要があるため、磁気検出装置を水量に応じて回る回転体に近づける目的で外郭に薄肉厚部を設けた構成となっていた。また、金属製外郭の代わりに高強度の樹脂材料を用いた樹脂成型部品にて外郭を構成したものもある。
【０００４】
図２は、従来の水量検知装置を示すものである。図２において、１は水量検知装置外郭、２は回転体、３は回転体保持部、４は磁気検知装置、５は磁気検知装置４の取付部である磁気検知部分（薄肉厚部）である。
【０００５】
【特許文献１】
特開平０５−０９９７１２号公報
【０００６】
【発明が解決しようとする課題】
しかしながら上記従来の構成では、真鍮製の外郭の場合、加工上、一般的に約２〜３ｍｍ程度の肉厚が必要であり小型軽量化が困難という課題を有していた。また樹脂成形外郭においても成形上、また水道の水圧に耐える外郭強度として約２〜３ｍｍ程度の肉厚が必要だが、微小な磁気検出のため回転体と磁気検出装置の検出距離を近づける必要があり外郭上の磁気検知部分に薄肉厚部（肉厚約１ｍｍ）を設けることになり、その部分の耐水圧強度が低下するという課題を有していた。更に、樹脂成形外郭において磁気検知部の薄肉厚部に金型構成上ウェルドラインが存在する場合、更に強度が低下する課題を有していた。また真鍮製の水量検知装置外郭においては、磁気検知部の外郭薄肉厚部の切削加工における寸法精度が要求され、製造コスト高につながる課題を有していた。
【０００７】
本発明は上記従来の課題を解決するもので、外郭に既製の銅溶接管または銅合金溶接管を使用することにより水量検知装置外郭の小型軽量化、外郭の薄肉厚化と強度維持という相反する課題を解決し、さらに鋳造、鍛造部品に付き物の切削加工等を全廃することで製造コストの低減を図ることを目的とする。
【０００８】
【課題を解決するための手段】
上記課題を解決するため本発明の水量検出装置は、外郭の材料に既製の銅溶接管または銅合金溶接管を加工し使用するものである。
【０００９】
これによって、小型軽量化、必要な磁気検出距離を満足する薄肉厚化、耐水圧強度維持、製造コスト低減という４つの課題を同時に解決することができる。
【００１０】
【発明の実施の形態】
請求項１に記載の発明は、給湯機の通水路において、水量に応じて回転しその周囲の磁気を変化させる回転体と、回転体の回転数に応じた磁気変化を検出する磁気検知装置と、回転体を保持する回転体保持部と、通水路を形成し前記回転体及び回転体保持部を通水路中に配置する為の外郭に既製の銅溶接管または銅合金溶接管を用いたことを特徴とするものであり、水量検知装置外郭を既製の銅溶接管を用いることにより、その銅溶接管自体が水道管に使用される必要強度を持ち、かつ必要な磁気検出距離を確保しており、薄肉厚部を削り出す切削行程が不要となる。この薄肉厚構成により小型軽量化をも図ることができる。
【００１１】
請求項２の発明は、既製の銅溶接管を正方形断面形状の角管とすることにより、その平面部に磁気検知部を取り付けやすくしたもので、請求項１と同様の効果を得ることができる。
【００１２】
請求項３の発明は、既製の銅溶接管の断面形状を六角形管とすることにより、その平面部に磁気検知部を取り付けやすくしたもので、請求項１と同様の効果を得ることができる。
【００１３】
請求項４記載の発明は、既製の銅溶接管における円管断面形状の一部を直線としたＤ字型形状に加工することにより、その平面部に磁気検知部を取り付けやすくしたもので、請求項１と同様の効果を得ることができる。
【００１４】
請求項５記載の発明は、熱交換器付属の銅管部に回転体及び回転体保持部を挿入しその外周近傍に磁気検知部を取り付けることで水量検知装置を構成し、水量検知装置外郭を熱交換器水通路と共用一体化し、かつ請求項１と同様の効果を得ることができる。
【００１５】
【実施例】
以下、本発明の実施例について図面を参照しながら説明する。
【００１６】
（実施例１）
図１本発明の第１の実施例における水量検知装置外郭の構成図を示すものである。
【００１７】
図１において、６は既製の銅溶接管（Ｃ１２２０）を加工して得られた水量検知装置外郭である。回転体２には永久磁石が埋め込まれている。回転体保持部３は回転体２の軸受を構成し、その外形は水量検知装置外郭６の内面と断面形状が相似形となっており、水量検知装置外郭６に挿入されている。磁気検知装置４は水量検知装置外郭６の外側表面に取り付けられている。８は水量検知装置外郭６をフレア加工することでＯリング溝を形成した他の水通路部品との接続用の水シール構成部である。
【００１８】
以上のように構成された水量検知装置外郭について、以下その作用を説明する。
【００１９】
水量検知装置外郭６は既製の銅溶接管を使用しており、その肉厚はｔ１ｍｍ前後を選択することができ、従来の黄銅鍛造加工や樹脂成形による水量検知装置外郭に比べ半分以下の肉厚である。よって、従来と内部の回転体保持部３の外径が同じ寸法であれば、肉厚が薄い分、水量検知装置外郭の外径寸法が小さくなる。
【００２０】
またその肉厚は磁気検知部分７を含め外郭全体においてほぼ同じ厚さであるが、銅溶接管自体は水道管にも使われているように、このまま水道直圧に耐え得る強度を有している。
【００２１】
また、この肉厚は回転体２と磁気検出装置４の磁気検出距離を満足している。よって磁気検出距離を出す為の切削加工は不要である。更に、鍛造や鋳造での外郭には必要な各種切削加工は一切不要で、外郭の成形にはフレア加工、拡管加工程度で済む構造となっている。
【００２２】
（実施例２）
図２本発明の第２の実施例における水量検知装置外郭が備えられた給湯機の構成図を示すものである。
【００２３】
図２の９が給湯機の熱交換器であり、１０が熱交換器９に付随した熱交換器通水管である。熱交換器通水管１０の中に、回転体２が組み込まれた回転体保持部３が挿入されている。また、熱交換器通水管１０の回転体３近榜外側には磁気検知装置４が取り付けられている。
【００２４】
以上のように水量検知装置の外郭として、独立した外郭の代わりに、同じ形状材質の通水路を持った熱交換器通水路管１０を共用することで、実施例１と同様の効果を得、更に熱交換器と水量検知装置が一体化したことで２部品の接続部が不要となる。
【００２５】
また本実施例では、水量検知装置外郭６が銅溶接管にて構成されているため、入口もしくは出口を延長し簡単に曲げ加工が可能であり、複雑な金型を必要とせずにＬ字型などの形状を構成することもできる。
【００２６】
【発明の効果】
以上のように本発明によれば、水量検知装置外郭の小型軽量化、磁気検出距離を得る薄肉厚化、耐水道圧強度維持、製造コスト低減を図ることができる。
【図面の簡単な説明】
【図１】本発明の実施例１における水量検知装置の構成図
【図２】本発明の実施例２における水量検知装置を備えた給湯機の構成図
【図３】従来の水量検知装置の構成図
【符号の説明】
１  水量検知装置外郭（黄銅製）
２  回転体
３  回転体保持部
４  磁気検知装置
５  磁気検知部分（切削薄肉厚部）
６  水量検知装置外郭（銅溶接管製）
７  磁気検知部分
８  水シール構成部
９  熱交換器
１０  熱交換器通水路管
【図１】
2005010079.tif 000003
【図２】
2005010079.tif 000004
【図３】
2005010079.tif 000005